(57)【要約】【課題】換気効率を高めながら、こうもりのような小動物が侵入するのを防止して且つ外観の低下を防止し、防火することが可能な軒天井の取付け構造を提供する。【解決手段】見切り縁１０の取付片２より一対の垂下片３を垂下させて下端部から軒天井支持片４，スペース片７を延出した。垂下片３に換気口１１を形成した。取付片２を野縁１に取付け、軒天井支持片４に軒天井板８を載置して垂下片３との間に第１風路イを形成し、スペース片７を鼻板５に連結して鼻板５との間に第２風路ロを形成した。更に、各垂下片３の下端から覆い片１５を延出した。内部が収容凹部３４となりその開口幅が幅狭な開口３５を有する取着部３６を開口方向が大略上記換気口１１を向くように設け、収容凹部３４に熱膨張部材３７を設けた。【選択図】        図１
2004316176.tif 000002
【特許請求の範囲】
【請求項１】
野縁に見切り縁を介して軒天井板を取付ける軒天井の取付け構造であって、見切り縁における野縁に対する取付片より屋内外方向に間隔を隔てて一対の垂下片を垂下させ、一方の垂下片の下端部から軒天井支持片を延出し、他方の垂下片の下端部から鼻板に連結されるスペース片を延出し、一対の垂下片に換気口を形成し、取付片において見切り縁を野縁に取付け、軒天井支持片に軒天井板を載置して一方の垂下片と軒天井板の端面との間に第１風路を形成し、スペース片を鼻板に連結して他方の垂下片と鼻板との間に第２風路を形成し、かつ、各垂下片の下端から対向する垂下片側に向けて覆い片を延出した軒天井の取付け構造において、内部が収容凹部となりその開口幅が該収容凹部より幅狭な開口を有する取着部を開口方向が大略上記換気口を向くように設け、前記取着部の収容凹部に加熱されて膨張した際に上記換気口を閉塞する熱膨張部材を設けて成ることを特徴とする軒天井の取付け構造。
【請求項２】
取付片の屋内外方向の中央部に該取付片を野縁に固着するための固着部を設け、前記固着部を挟んで屋内外方向に対向するように一対の取着部を取付片に設け、該取着部を取付片から垂下される縦片と、前記縦片の下端部からそれぞれ屋内外方向に突設される先端が上方に屈曲した略Ｌ字状の載置係止片とで屋内外方向の両側に開口及び収容凹部を有するように形成し、前記一対の取着部の互いに対向する開口内の収容凹部に加熱されて膨張した際に前記固着部を覆う熱膨張部材を設けると共に、互いに対向する開口と反対側の開口内の収容凹部に加熱されて膨張した際に換気口を閉塞する熱膨張部材を設けて成ることを特徴とする請求項１記載の軒天井の取付け構造。
【請求項３】
垂下片の外側に取着部及び熱膨張部材を設けて成ることを特徴とする請求項１又は２記載の軒天井の取付け構造。
【発明の詳細な説明】
【０００１】
【発明の属する技術分野】
本発明は、軒天井の取付け構造に関し、詳しくは、軒天井の取付け箇所における換気効率を高めながら、こうもりのような小動物が侵入するのを防止し、かつ、外観が低下するのを防止することができるのに加えて、防火することができる軒天井の取付け構造に係るものである。
【０００２】
【従来の技術】
従来、野縁に見切り縁を介して軒天井板を取付ける軒天井の取付け構造においては、鼻板及び家屋の外壁に見切り縁を取付け、見切り縁に野縁を支持し、軒天井板を野縁に取付けるとともに軒天井板の端部を見切り縁にて覆うのである。
【０００３】
この場合、見切り縁に換気口を形成して、風路を形成して軒天井裏の換気を図るものである。
【０００４】
ところで、このような換気構成において、良好な換気を図るために換気口を大きくする場合には、こうもりのような小動物が軒天井裏に侵入するという問題があった。そこで、こうもりのような小動物が軒天井裏に侵入しないような軒天井の取付け構造が考え出された（例えば特許文献１参照）。しかしながら、この特許文献１に示すものにあっては、見切り縁に形成した換気口が下方から見えて外観が低下してしまうものであったため、図５に示すような外観が低下しない軒天井の取付け構造が発明された（例えば特許文献２参照）。
【０００５】
しかしながら、この特許文献２に示すものにあっては、見切り縁１０の垂下片３の下端部から覆い片１５を延設して換気口１１が下方から見えないようにして外観が低下するのを防止することができるものの、火災の際に換気口１１を閉塞することができず、防火処置が施されていないものであった。なお、図中の１は野縁、８は軒天井板、５は鼻板、３３は軒先見切り、１４は固着具を示す。
【０００６】
【特許文献１】
特開２００１−９８６９３号公報
【特許文献２】
特開２００１−２７１４６７号公報
【０００７】
【発明が解決しようとする課題】
本発明はこのような問題に鑑みてなされたものであり、軒天井の取付け箇所における換気効率を高めながら、こうもりのような小動物が侵入するのを防止することができ、かつ、外観が低下するのを防止することができるのに加えて、防火することが可能な軒天井の取付け構造を提供することを課題とするものである。
【０００８】
【課題を解決するための手段】
請求項１においては、野縁１に見切り縁１０を介して軒天井板８を取付ける軒天井の取付け構造であって、見切り縁１０における野縁１に対する取付片２より屋内外方向に間隔を隔てて一対の垂下片３，３を垂下させ、一方の垂下片３の下端部から軒天井支持片４を延出し、他方の垂下片３の下端部から鼻板５に連結されるスペース片７を延出し、一対の垂下片３，３に換気口１１，１１を形成し、取付片２において見切り縁１０を野縁１に取付け、軒天井支持片４に軒天井板８を載置して一方の垂下片３と軒天井板８との間に第１風路イを形成し、スペース片７を鼻板５に連結して他方の垂下片３と鼻板５との間に第２風路ロを形成し、更に、各垂下片３、３の下端から対向する垂下片３、３側に向けて覆い片１５、１５を延出した軒天井の取付け構造において、内部が収容凹部３４となりその開口幅が該収容凹部３４より幅狭な開口３５を有する取着部３６を開口方向が大略上記換気口１１，１１を向くように設け、前記取着部３６の収容凹部３４に加熱されて膨張した際に上記換気口１１，１１を閉塞する熱膨張部材３７を設けて成ることを特徴とするものである。
【０００９】
このような構成によれば、取付片２から屋内外方向に間隔を隔てて垂下した一対の垂下片３、３の両側において第１風路イ、第２風路ロを形成することができ、従来の一つの風路ハのものに比べて換気効率を倍増することができ、したがって、換気口１１を大きくしなくてもよく、こうもりのような小動物が侵入するのを防止することができる。更に、各垂下片３、３の下端から対向する垂下片３、３側に向けて覆い片１５、１５を延出していて、覆い片１５によって下方から見た場合に換気口１１を隠すことができ、一対の垂下片３、３に換気口１１を形成しながら外観が低下するのを防止することができる。そして、内部が収容凹部３４となりその開口幅が該収容凹部３４より幅狭な開口３５を有する取着部３６を開口方向が大略上記換気口１１，１１を向くように設け、前記取着部３６の収容凹部３４に加熱されて膨張した際に上記換気口１１，１１を閉塞する熱膨張部材３７を設けたので、火災が発生した際に熱膨張部材３７が熱せられると、熱膨張部材３７が発泡して開口３５を介して収容凹部３４から外部に膨張し、換気口１１，１１を閉塞して通気を遮断すると共に、火炎が換気口１１，１１から屋根裏へ侵入するのを阻止して延焼を防止することが可能となる。
【００１０】
請求項２においては、取付片２の屋内外方向の中央部に該取付片２を野縁１に固着するための固着部を設け、前記固着部を挟んで屋内外方向に対向するように一対の取着部３６を取付片２に設け、該取着部３６を取付片２から垂下される縦片３８と、前記縦片３８の下端部からそれぞれ屋内外方向に突設される先端が上方に屈曲した略Ｌ字状の載置係止片３９とで屋内外方向の両側に開口３５及び収容凹部３４を有するように形成し、前記一対の取着部３６の互いに対向する開口３５内の収容凹部３４に加熱されて膨張した際に前記固着部を覆う熱膨張部材３７を設けると共に、互いに対向する開口３５と反対側の開口３５内の収容凹部３４に加熱されて膨張した際に換気口１１，１１を閉塞する熱膨張部材３７を設けることを特徴とするものである。このような構成によれば、開口３５が換気口１１，１１に対向する収容凹部３４内の熱膨張部材３７にて換気口１１，１１が確実に閉塞されるのに加えて、見切り縁１０を野縁１に固着する固着部及び固着具１４を膨張した熱膨張部材３７が覆って見切り縁１０が焼け落ちるのを防止することができる。
【００１１】
請求項３においては、垂下片３，３の外側に取着部３６及び熱膨張部材３７を設けることを特徴とするものである。このような構成によれば、垂下片３，３に配設した取着部３６及び熱膨張部材３７によって第１風路イ及び第２風路ロを閉塞してより一層確実に通気を遮断して火炎が屋根裏へ侵入するのを防止することができる。
【００１２】
【発明の実施の形態】
以下、本発明の実施の一形態を添付図面に基づいて説明する。
【００１３】
図４に示すように、屋内側において固定されている外壁パネル１９には壁際廻り縁２２をビス２３にて固定している。図中の３０は屋内側の見切り縁を示す。図３に示すように、屋外側において垂木２０の先端部に鼻板下地材２１がドリルビス２４にて固定されている。壁際廻り縁２２と鼻板下地材２１とにわたって野縁１を固定している。鼻板下地材２１及び野縁１の先端に鼻板５を当接させてビス２５にて固定している。更に、鼻板５には軒樋控え具２６を当接させてビス２７にて共に鼻板下地材２１に固定している。軒樋控え具２６には軒樋２８を支持させて屋根２９からの排水を受けるようにしている。
【００１４】
見切り縁１０は、例えば、アルミニウム等の金属の押出成形品であり、軒天井における野縁１に対する取付片２より屋内外方向に間隔を隔てて一対の垂下片３，３を垂下させている。一方の垂下片３の下端部から軒天井支持片４を延出している。他方の垂下片３の下端部から鼻板５の下端に当接するスペース片７を延出している。軒天井支持片４に取付片２の先端よりも突出する位置に軒天井板８に対する位置決め用のストッパー９を形成している。スペース片７にもストッパー９を設けている。一対の垂下片３，３に換気口１１，１１を形成している。また、取付片の屋内外方向の中央部には、取付片を野縁に固着するための固着部として固着具挿通孔が形成される。また更に、熱膨張部材３７を配設するための取着部３６を設けるものであるが、これについては後述する。
【００１５】
しかして、見切り縁１０が取付片２においてビス１４からなる固着具にて野縁１に固定され、又、壁際廻り縁材３０が壁際廻り縁２２に固定させる。見切り縁１０の軒天井支持片４と壁際廻り縁材３０とにわたって軒天井板８を載設する。軒天井支持片４のストッパー９に軒天井板８の端部が当接して、スペース片７が鼻板５の下面に当接するとともにスぺース片７のストッパー９が鼻板５に当接している。図中３３は軒先見切りであり、鼻板５にビス止めされている。
【００１６】
このような取付け状態において、軒天井支持片４に軒天井板８を載置して一方の垂下片３と軒天井板８との間に第１風路イを形成するのであり、又、スペース片７を鼻板５当接していて他方の垂下片３と鼻板５との間に第２風路ロを形成している。
【００１７】
このように、取付片２から屋内外方向に間隔を隔てて垂下した一対の垂下片３，３の両側において第１風路イ、第２風路ロを形成することができるのであり、従来の一つの風路のものに比べて換気効率を倍増することができ、したがって、換気口１１を大きくしなくてもよく、こうもりのような小動物が侵入するのを防止することができるものである。
【００１８】
更に述べれば、軒天井支持片４に取付片２の先端よりも突出する位置に軒天井板８に対する位置決め用のストッパー９を形成してあって、第１風路イを確実に形成することができながら、ストッパー９に軒天井板８に当接することで、軒天井板８の位置決めができて施工性を高めることができるものである。
【００１９】
更に、各垂下片３、３の下端から対向する垂下片３、３側に向けて覆い片１５、１５を延出していることから、覆い片１５によって下方から見た場合に換気口１１を隠すことができるのであり、一対の垂下片３、３に換気口１１を形成しながら外観が低下するのを防止することができるものである。
【００２０】
そして更に、本発明の軒天井の取付け構造においては、火災の際に換気口１１，１１を閉塞して防火することが可能な熱膨張部材３７を配設するものである。熱膨張部材３７は、取着部３６を介して見切り縁１０に設けるものである。
【００２１】
取着部３６は、内部が前記熱膨張部材３７を収容する収容凹部３４となると共に、前記収容凹部３４をその外部と連通する開口３５を設け、前記開口３５の開口方向がほぼ見切り縁１０の換気口１１，１１を向くように設けるものである。本実施形態では取着部３６は、取付片２から垂下される縦片３８と、前記縦片３８の下端部からそれぞれ屋内外方向に突設される先端が上方に屈曲した略Ｌ字状の載置係止片３９と、前記載置係止片３９の先端と対向するように取付片２から垂下される係止片４０とからなるもので、上記取付片２の固着部を挟んで屋内外方向に対向するように一対の取着部３６が取付片２に設けられて屋内外方向の両側に開口３５を有するように形成される。そして、前記一対の取着部３６のそれぞれ両側に形成される開口３５及び収容凹部３４のうち、互いに対向する開口３５内の収容凹部３４に、加熱されて膨張した際に前記固着部及び固着具１４を覆う熱膨張部材３７を設け、互いに対向する開口３５と反対側の開口３５内の収容凹部３４に、加熱されて膨張した際に上記換気口１１，１１を閉塞する熱膨張部材３７を設けるものである。
【００２２】
熱膨張部材３７は、ある一定の温度以上（例えば、１５０℃以上又は２００℃以上）に加熱された際に数倍〜数十倍に膨張して固化することで通気及び延焼を遮断するもので、通常は発泡性グラファイトや熱膨張性黒鉛等の発泡性を有する炭素系の材料からなるが、特に限定されない。
【００２３】
熱膨張部材３７を取着部３６を介して見切り縁１０に配設したことで、火災が発生した際に熱せられると、図２に示すように、熱膨張部材３７が発泡して取着部３６の収容凹部３４から開口３５を介して膨張し、上述したように開口３５が換気口１１，１１に対向する収容凹部３４内の熱膨張部材３７にて換気口１１，１１を閉塞して通気を遮断・火炎の侵入を阻止して延焼を防止する。更に、膨張した熱膨張部材３７は、前述のように通気を遮断すると共にアルミニウム等の金属からなる見切り縁１０の取付片２、垂下片３、固着具１４を覆って見切り縁１０の固着部に高熱が伝わるのを遮断し、固着部が溶けて見切り縁１０が落下するのを防止する。そして、仮に火炎に晒されて覆い片１５が溶け落ちても、取着部３６の開口３５が収容凹部３４より幅狭に（即ち本実施形態では開口３５の上下長さが収容凹部３４の上下長さよりも短く）形成することで、膨張した熱膨張部材３７が開口３５を介してその内外で一体的に固化することとなり、収容凹部３４内で固化した熱膨張部材３７が収容凹部３４から抜け落ちるのが防止される（即ちアンカー効果を有する）こととなる。
【００２４】
また更に、本実施形態では取着部３６を垂下片３，３の外側に設けてある。この垂下片３，３に設ける取着部３６は、載置係止片３９と係止片４０とからなり、その開口３５が第１風路イ及び第２風路ロに向くと共に収容凹部３４に熱膨張部材３７が配設してある。このようにすることで、垂下片３，３に配設した取着部３６及び熱膨張部材３７によって第１風路イ及び第２風路ロを閉塞してより一層確実に通気を遮断して火炎が屋根裏へ侵入するのを防止することができる。
【００２５】
ところで、覆い片１５の先端から起立片１６を立設し、起立片１６とこれに対向する垂下片３とに突片３１を延出して覆い片１５の上に底面が広く上開口が狭くなる接続溝を形成している。このような、接続溝に板状のジョイナ１８を挿入することによって、見切り縁１０、１０を容易に接続することができて施工性を高めるものである。ジョイナ１８には係止突部を形成している。
【００２６】
【発明の効果】
請求項１においては、野縁に見切り縁を介して軒天井板を取付ける軒天井の取付け構造であって、見切り縁における野縁に対する取付片より屋内外方向に間隔を隔てて一対の垂下片を垂下させ、一方の垂下片の下端部から軒天井支持片を延出し、他方の垂下片の下端部から鼻板に連結されるスペース片を延出し、一対の垂下片に換気口を形成し、取付片において見切り縁を野縁に取付け、軒天井支持片に軒天井板を載置して一方の垂下片と軒天井板の端面との間に第１風路を形成し、スペース片を鼻板に連結して他方の垂下片と鼻板との間に第２風路を形成し、かつ、各垂下片の下端から対向する垂下片側に向けて覆い片を延出した軒天井の取付け構造において、内部が収容凹部となりその開口幅が該収容凹部より幅狭な開口を有する取着部を開口方向が大略上記換気口を向くように設け、前記取着部の収容凹部に加熱されて膨張した際に上記換気口を閉塞する熱膨張部材を設けてあるから、取付片から屋内外方向に間隔を隔てて垂下した一対の垂下片の側部において第１風路、第２風路を形成することができ、従来の一つの風路のものに比べて換気効率を倍増することができ、したがって、換気口を大きくしなくてもよく、こうもりのような小動物が侵入するのを防止することができ、また、各垂下片の下端から対向する垂下片側に向けて覆い片を延出していることから、覆い片によって下方から見た場合に換気口を隠すことができ、一対の垂下片に換気口を形成しながら外観が低下するのを防止することができる。そして、火災が発生した際に熱膨張部材が熱せられると、熱膨張部材が発泡して開口を介して収容凹部から外部に膨張し、換気口を閉塞して通気を遮断すると共に、火炎が換気口から屋根裏へ侵入するのを阻止して延焼を防止することが可能となる。
【００２７】
請求項２においては、取付片の屋内外方向の中央部に該取付片を野縁に固着するための固着部を設け、前記固着部を挟んで屋内外方向に対向するように一対の取着部を取付片に設け、該取着部を取付片から垂下される縦片と、前記縦片の下端部からそれぞれ屋内外方向に突設される先端が上方に屈曲した略Ｌ字状の載置係止片とで屋内外方向の両側に開口及び収容凹部を有するように形成し、前記一対の取着部の互いに対向する開口内の収容凹部に加熱されて膨張した際に前記固着部を覆う熱膨張部材を設けると共に、互いに対向する開口と反対側の開口内の収容凹部に加熱されて膨張した際に換気口を閉塞する熱膨張部材を設けているから、開口が換気口に対向する収容凹部内の熱膨張部材にて換気口が確実に閉塞されるのに加えて、見切り縁を野縁に固着する固着部及び固着具を膨張した熱膨張部材が覆って見切り縁が焼け落ちるのを防止することができる。
【００２８】
請求項３においては、垂下片の外側に取着部及び熱膨張部材を設けているから、請求項１又は２の効果に加えて、垂下片に配設した取着部及び熱膨張部材によって第１風路及び第２風路を閉塞してより一層確実に通気を遮断して火炎が屋根裏へ侵入するのを防止することができる。
【図面の簡単な説明】
【図１】本発明の実施の一形態を示す断面図である。
【図２】同上において熱膨張部材が膨張した時の断面図である。
【図３】同上の軒天井板の屋外側の端部の支持構造を示す断面図である。
【図４】同上の軒天井板の屋内側の端部の支持構造を示す断面図である。
【図５】従来例の断面図である。
【符号の説明】
１  野縁
２  取付片
３  垂下片
４  軒天井支持片
５  鼻板
７  スペース片
８  軒天井板
１０  見切り縁
１１  換気口
１５  覆い片
３４  収容凹部
３５  開口
３６  取着部
３７  熱膨張部材
イ  第１風路
ロ  第２風路
【図１】
2004316176.tif 000003
【図２】
2004316176.tif 000004
【図３】
2004316176.tif 000005
【図４】
2004316176.tif 000006
【図５】
2004316176.tif 000007